(57)【要約】【課題】  光学調整が容易な投射型画像表示装置を提供する。【解決手段】  画像表示装置において、外装筺体は、内側に突起部を含む開閉可能な蓋と、蓋に覆われる部分に設けられた第１開口及び第２開口と、を有しており、蓋に設けられた突起部が、蓋を閉めた状態において第１開口を貫通し、外装筺体内部に設けられたスイッチを押すように構成されており、第２開口を覆う位置と第１開口を覆う位置とで移動可能な可動部材が、第１開口を覆う位置に移動した状態でスイッチを押すように構成されており、スイッチが押された状態においては光源の点灯を可能とし、スイッチが押されていない状態においては光源の点灯を禁止する制御手段を備える。【選択図】  図１
2015114334.tif 000002
【特許請求の範囲】
【請求項１】
画像表示素子と、光源と、前記光源からの光束を前記画像表示素子に導く光学系と、前記画像表示素子、前記光源、及び前記光学系を内包する外装筺体と、を備える画像表示装置において、
前記外装筺体は、内側に突起部を含む開閉可能な蓋と、前記蓋を閉めた状態において前記蓋に覆われる部分に設けられた第１開口及び第２開口と、を有しており、
前記突起部は、前記蓋を閉めた状態において前記第１開口を貫通し、前記外装筺体の内部に設けられたスイッチを押すように構成されており、
前記画像表示装置は、前記外装筺体の内側に、前記第２開口を覆う位置と前記第１開口を覆う位置とで移動可能な可動部材を備えており、
前記可動部材が、前記第１開口を覆う位置に移動した状態で前記スイッチを押すように構成されており、
前記スイッチが押された状態においては前記光源の点灯を可能とし、前記スイッチが押されていない状態においては前記光源の点灯を禁止する制御手段を備える、
ことを特徴とする画像表示装置。
【請求項２】
前記第２開口の内側に、前記光源の位置、或いは方向を調整可能な調整部材が配置されている、ことを特徴とする請求項１に記載の画像表示装置。
【請求項３】
前記調整部材を操作することにより、前記光学系の光軸上であって、前記光源の発光点よりも前記画像表示素子の反対側の所定の点を中心にして、前記光源が回動する、ことを特徴とする請求項２記載の画像表示装置。
【請求項４】
前記第２開口の内側に、前記光学系の一部の位置、或いは方向を調整可能な調整部材が配置されている、ことを特徴とする請求項１乃至３いずれか１項に記載の画像表示装置。
【請求項５】
前記光学系の一部が反射ミラーであって、
前記調整部材を操作することにより、前記反射ミラーへの入射光の光路と出射光の光路とを含む平面と垂直な軸を中心として、前記反射ミラーが回動する、ことを特徴とする請求項４に記載の画像表示装置。
【請求項６】
前記光源とは異なる別光源を備えており、
前記第２開口の内側に、前記光源と前記別光源とを一括して或いは個別に、位置或いは方向を調整可能な調整部材が配置されている、ことを特徴とする請求項１乃至５いずれか１項に記載の画像表示装置。
【請求項７】
前記蓋を閉めた状態において前記蓋に覆われる部分に、前記光源を交換することが可能な光源用開口が設けられている、ことを特徴とする請求項１乃至６いずれか１項に記載の画像表示装置。
【請求項８】
前記可動部材が前記第１開口を覆った状態のままで前記蓋を閉めると、前記可動部材と前記突起部とが干渉する、ことを特徴とする請求項１乃至７いずれか１項に記載の画像表示装置。
【請求項９】
前記可動部材が前記第１開口を覆った状態のままで前記蓋を閉めることを禁止する、ことを特徴とする請求項１乃至８いずれか１項に記載の画像表示装置。
【請求項１０】
前記画像表示素子で形成された表示画像を投射する投射レンズを取り付け可能な取り付け部を備えることを特徴とする請求項１乃至９いずれか１項に記載の画像表示装置。
【請求項１１】
前記画像表示素子で形成された表示画像を投射する投射レンズを備えることを特徴とする請求項１乃至９いずれか１項に記載の画像表示装置。
【発明の詳細な説明】
【技術分野】
【０００１】
本発明は、画像表示装置の投射画像の輝度や画質を容易に向上させる、或いは調整することが可能な構造を有する画像表示装置に関するものである。
【背景技術】
【０００２】
投写型画像表示装置では、光源として高圧水銀ランプやメタルハライドランプ等のランプが用いられている。ランプは、長時間の運転により劣化し、適正な輝度が得られなくなった場合には、ランプを新しいものに交換する必要がある。
【０００３】
投写型画像表示装置では、外装筐体に光源を交換するための開口が設けられており、カバーにより開口を開閉する構造が一般的である。例えば特許文献１では、装置天面にプリズム交換用開口とランプ交換用開口があり、それぞれのカバーがスライド動作で開閉可能とすることで、光源・光学部品を容易に交換可能としている。
【先行技術文献】
【特許文献】
【０００４】
【特許文献１】特開２０１１−７５７３１号公報
【発明の概要】
【発明が解決しようとする課題】
【０００５】
しかしながら、特許文献１の構成では、ランプ交換は可能であっても、ランプ交換後のランプ或いはその周辺の光学系の調整を行うことは考慮されていない。
【０００６】
そこで、本願発明では、ランプ交換後に、ランプ或いはその周辺の光学系の調整を、実際にランプを点灯させた状態で行うことが可能で、且つ調整時以外はランプからの光が使用者の目等に入らないように考慮された画像表示装置を提供することを目的とする。
【０００７】
また、別の例示的な目的として、画像表示装置のランプ或いはその周辺の光学系が衝撃或いは経時変化によって所定の位置からずれてしまった場合に、調整しやすい構造を持つ画像表示装置を提供することを目的とする。
【課題を解決するための手段】
【０００８】
そこで、本発明の画像表示装置は、画像表示素子と、光源と、前記光源からの光束を前記画像表示素子に導く光学系と、前記画像表示素子、前記光源、及び前記光学系を内包する外装筺体と、を備える画像表示装置において、前記外装筺体は、内側に突起部を含む開閉可能な蓋と、前記蓋を閉めた状態において前記蓋に覆われる部分に設けられた第１開口及び第２開口と、を有しており、前記突起部は、前記蓋を閉めた状態において前記第１開口を貫通し、前記外装筺体内部に設けられたスイッチを押すように構成されており、前記画像表示装置は、前記外装筺体の内側に、前記第２開口を覆う位置と前記第１開口を覆う位置とで移動可能な可動部材を備えており、前記可動部材が、前記第１開口を覆う位置に移動した状態で前記スイッチを押すように構成されており、前記スイッチが押された状態においては前記光源の点灯を可能とし、前記スイッチが押されていない状態においては前記光源の点灯を禁止する制御手段を備える、ことを特徴としている。
【発明の効果】
【０００９】
本発明によれば、ランプ交換時、或いはその他ランプや光学系に調整が必要になった際に、調整を行い易く、且つ使用者が使いやすい画像表示装置を提供することが可能となる。
【図面の簡単な説明】
【００１０】
【図１】本発明の構成を示す斜視図。
【図２】（ａ）光学調整用開口蓋が閉じている状態の説明図。（ｂ）光学調整用開口蓋が開いている状態の説明図。
【図３】ミラーを調整する様子を説明する図。
【図４】２灯ランプを同時或いは個別に調整する様子を説明する図。
【図５】ランプを調整する様子を説明する図。
【発明を実施するための形態】
【００１１】
以下に、本発明の実施の形態を添付の図に基づいて詳細に説明する。
【実施例１】
【００１２】
図１は、本発明の投射型画像表示装置（投射表示装置）を示している。
【００１３】
図１において、１は、ランプ（光源）、画像を表示（形成）する液晶パネル等の画像表示素子（画像生成部）、ランプからの光束を画像表示素子に導く照明光学系を含む光学エンジン（光学系）２を内包する外装筺体である。尚、光学エンジン２は、図３〜５に示すミラー（反射ミラー）や、その他不図示のインテグレータ（フライアイレンズ）、ダイクロイックミラー、偏光ビームスプリッタ等を含んでいても良い。
【００１４】
３は、光学エンジン２からの画像光（表示画像）をスクリーン等の被投射面に投射する投射レンズ（投射光学系）であり、外装筺体１に対して一体的に構成しても良いし、外装筺体１に対して着脱可能に構成しても構わない。
【００１５】
４は、外装筺体１に対して回動可能（開閉可能）に設けられた蓋であり、この蓋４の内側には突起部５が設けられている。この蓋は必ずしも回動する必要はなく、２方向にスライドする（上下方向と水平方向）ような構成であっても良いし、その他如何なる構成を採っても構わない。
【００１６】
６は、蓋４の内側、つまり蓋を閉めた状態においては、蓋に覆われる部分に設けられたランプ交換用開口（光源用開口）であり、この開口を通して、輝度が下がった、或いは点灯しなくなったランプを交換する。
【００１７】
７は、光学調整用開口（第２開口）であり、この開口を通して調整用工具を差し込むことにより、ランプの位置或いは方向、又は光学エンジン２の一部（主にミラー）の位置或いは方向を調整する。一方、外装筺体の内部には調整部材が配置されており、この調整部材に対して前述の調整用工具を嵌合させて回転させることにより、ランプや光学系の、方向や位置を調整可能となっている。この調整用開口を大きくできる場合には使用者の手によって調整を行っても良い。
【００１８】
以下に実際の調整方法について図３〜５を用いて具体的に説明する。
【００１９】
図３はミラーの方向（角度）を調整可能とする例を図示したものである。この図３では、ミラーへの入射光の光路と出射光の光路とを含む断面と垂直な軸を中心としてミラーの方向（向き、角度）を調整している。別の言い方をすれば、工具を用いて調整部材を操作することにより、前記反射ミラーへの入射光の光路と出射光の光路とを含む平面と垂直な軸を中心として、前記反射ミラーが回動するように構成している。この図３では、回動中心（回転中心）がミラーの内側になるようにしているが、その限りではなく、ミラーの外側の軸を回動中心としても良い。また、ミラーの方向ではなく、ミラーの位置を調整できる（変更できる）ようにしても構わない。
【００２０】
次に、図４、５は、ランプの方向を調整する様子を説明する図である。
【００２１】
図４は、２つのランプ（光源と別光源）を用いる場合であり、前述の調整用開口を用いて調整を行うことにより、２つのランプの向きを調整している。より詳細に述べると、工具を用いて調整部材を操作することにより、光学系の光軸上であって光源の発光点（リフレクターの内側）よりも画像表示素子の反対側の所定の点（白○の位置）を中心にして、光源を回転させている。より正確に言えば、光源及び光源からの光束を反射するリフレクターを回転させている。
【００２２】
この図４の例においては、調整用開口を１つとし、その開口を通して操作を行うことにより２つのランプの向きを連動させて（一括して）調整しても構わないし、ランプごとに開口（第２開口）を設けて、別々に（個別に）調整しても構わない。また、この図４においては、ランプの向きを調整する場合の説明を行っているが、勿論ランプの位置を調整しても良いし、図４中に記載されたミラーの方向、或いは位置を調整できるように構成しても構わない。
【００２３】
図５は、ランプが１つの構成であり、前述の調整用開口を用いてランプの方向を調整する様子を説明している図である。この実施例においても、勿論ランプの位置を調整しても構わない。
【００２４】
次に、８は、蓋４の内側に設けられた突起部５に対応する位置、つまり蓋４が閉められた際に突起部５が通る（貫通する）位置に設けられたランプカバー開閉検出スイッチ用開口（第１開口、スイッチ用開口）である。このスイッチ用開口の内側にはスイッチ（検出部）は、押されることによりランプの点灯（ランプへの通電）を可能とし、押されていない状態ではランプの点灯を禁止する（或いは通電量を減らす）ように構成されている。不図示の制御手段が、このスイッチの押圧状態を検知して、ランプへの通電を制御している。従って、蓋（ランプカバー）が閉じた状態では、突起部５がスイッチを押すことにより、ランプの点灯が可能となり、蓋が開いた状態では、突起部５がスイッチを押さなくなるのでランプの点灯が禁止される（ランプの光量が落ちる）こととなる。尚、この制御手段は、ランプが２つある図４の場合には、ランプの点灯（ランプへの通電）を個別に制御しても良いし、両者に対して同様の制御を行っても構わない。
【００２５】
図２（ａ）、（ｂ）を用いて更に詳細に説明する。この図２は、蓋４を開けた状態の、蓋の内側（蓋で覆われる部分）の拡大図である。
【００２６】
図２（ａ）は、光学調整用開口が光学調整用開口蓋（カバー）９によって塞がれている状態であり、図２（ｂ）は、光学調整用開口蓋（カバー）９が光学調整用開口の位置からスイッチ用開口８に退避し、調整用開口が開いている状態である。この２つの図の違いは、光学調整用開口カバー（可動部材、開口カバー）９の位置の違い、つまり、スイッチ用開口８が開いているか、或いは調整用開口９が開いているか、の違いである。ここで、光学調整用開口蓋（開口カバー）９は、図２（ａ）で示された矢印の方向と、その反対方向に移動可能に構成されている。
【００２７】
図２（ａ）においては、開口カバー９が光学調整用開口７を塞いだ状態となっており、ランプカバー４は開いた状態である。従って、前述のスイッチは押されていないため、ランプは消灯されている。ここで、この開口カバーが調整用開口を塞ぐことにより、ランプ交換をする際に意図せず光学調整部に触れてしまい、ランプやその他の光学系の位置や方向が変化してしまうことを防いでいる。
【００２８】
図２（ｂ）においては、図２（ａ）と比較して、光学調整用開口カバー９を矢印１０の方向に移動させた状態を示している。つまり、開口カバー９がスイッチ用開口を塞ぐ位置に移動しており、且つこの開口カバーがスイッチを押圧して（押して）いる。従って、ランプは点灯可能となり、使用者の操作により（或いは自動的に）ランプを点灯させることができる。
【００２９】
従って、図２（ａ）で示した位置に開口カバーを位置させた状態で蓋（ランプカバー）を開けると、ランプを消灯する（点灯を禁止する）ため、ランプからの輝度の高い光が使用者の目に入るのを防ぐことができる。一方、図２（ｂ）で示した位置に開口カバーを移動させると、調整用開口を塞いでいた開口カバーが無くなる（別の位置に移動する）。従って、蓋を開けた状態のままでランプを点灯させて実際に映像を投射させることが可能となり、且つランプや光学系（の一部）を調整することができる。その結果、投射された画像を見ながら調整できるため、調整を高精度で且つ短時間に行うことができる、という効果が得られる。
【００３０】
上述の実施例に記載したような構成を採ることによって、（投射型画）像表示装置を組み立てた状態において、外装筐体の一部（蓋、ランプカバー）を開くだけで光学調整部を操作すること可能となり、高輝度・高画質の投射型画像表示装置を提供することができる。
【００３１】
また、光学調整用開口蓋を設けることで光源交換時に誤って光学調整機構に触れることを防止することができる。
【００３２】
更には、本実施例のような構成を採ると、光学調整用開口が開いたまま、つまり開口カバーがスイッチ用開口の位置に移動している状態で蓋をしめようとすると、突起部と開口カバーが干渉することとなる。つまり、本実施例は、光学調整用開口が開いたままの状態で蓋（ランプカバー）を閉めることができない構成を採っている。このため、光学調整用開口蓋を開いて光学調整をした後、光学調整開口蓋を閉め忘れたまま筐体開口蓋を閉めてしまい、次回光源を交換する際に誤って光学調整機構に触れるということを防止することができる。
【００３３】
上述の実施例においては、光源を高圧水銀ランプやメタルハライドランプとしたがこれに限定されるものではなく、ＬＥＤ（Ｌｉｇｈｔ  Ｅｍｉｔｔｉｎｇ  Ｄｉｏｄｅ）やＬＤ（Ｌａｓｅｒ  Ｄｉｏｄｅ）等、多様な光源においても同様に有用である。
【００３４】
上記の構成や調整内容等は、上述した実施例に限定されること無く、本発明の思想の範囲内で種々変形可能であることは言うまでも無い。
【符号の説明】
【００３５】
１  外装筺体
２  光学エンジン
３  投射レンズ
４  蓋（ランプカバー）
５  突起部
６  ランプ交換用開口
７  光学調整用開口
８  ランプカバー開閉検出スイッチ用開口
９  光学調整用開口カバー
１０  光学調整用開口カバー移動方向
【図１】
2015114334.tif 000003
【図２】
2015114334.tif 000004
【図３】
2015114334.tif 000005
【図４】
2015114334.tif 000006
【図５】
2015114334.tif 000007